(57)【特許請求の範囲】
【請求項１】
円筒空間を有するシリンダと、このシリンダにクリアランスシールを形成する隙間を介して挿入され、前記円筒空間内に作動ガスの圧縮空間を形成するピストンと、このピストンを軸方向に往復運動自在に支持する板ばねからなる支持ばねと、前記ピストンを軸方向に往復駆動するリニア駆動部と、前記隙間を介して前記圧縮空間に通じるガス室を形成する圧力容器とを備え、前記リニア駆動部は前記ピストンに連結された駆動子コイルと、この駆動子コイルを納める空隙を有する永久磁石及び継鉄からなる磁気回路とにより形成される圧縮機において、
複数の前記支持ばねを反圧縮空間側端部に間隔を介して配置し、かつ該複数の支持ばねの表裏の向きを互いに逆にして設置し、この複数の支持ばねにより前記ピストンを片持ち支持させるとともに、前記ピストンの圧縮空間側端部の半径方向外側に前記リニア駆動部を配置したことを特徴とする圧縮機。
【請求項２】
前記リニア駆動部の駆動子コイル、永久磁石及び継鉄を前記ピストンの半径方向に配列したことを特徴とする請求項1記載の圧縮機。
【請求項３】
前記シリンダと前記継鉄とを一体構成したことを特徴とする請求項２記載の圧縮機。
【請求項４】
前記継鉄と前記圧力容器の本体とを一体構成し、この本体に前記支持ばねを支持させたことを特徴とする請求項３記載の圧縮機。
【請求項５】
前記支持ばねの間隔を規制する間隔片を設けたことを特徴とする請求項1記載の圧縮機。
【請求項６】
前記シリンダの内周面及び前記ピストンの外周面の一方又は双方に前記隙間に相応する厚さの潤滑性の固体皮膜を施し、前記内周面と外周面とのはめあいにより前記ピストンを前記シリンダに挿入するようにしたことを特徴とする請求項1記載の圧縮機。
【請求項７】
一対の前記ピストンをそれらに共通の前記圧縮空間を挟んで対向配置して構成したことを特徴とする請求項１〜請求項６のいずれか１項に記載の圧縮機。
【請求項８】
一端が前記ピストン側に保持され、他端が前記圧力容器側に保持される駆動子コイル給電用リード線を前記支持ばねの間に配置したことを特徴とする請求項１〜請求項７のいずれか１項に記載の圧縮機。
【請求項９】
前記ピストン側及び圧力容器側に、前記駆動子コイル給電用リード線と前記駆動子コイル及び外部接続端子との間をそれぞれ中継する中間端子を前記支持ばねを貫通させてそれぞれ設けたことを特徴とする請求項８記載の圧縮機。
【請求項１０】
前記駆動子コイル給電用リード線と前記中間端子とを一体的に結合したことを特徴とする請求項９記載の圧縮機。
【発明の詳細な説明】
【０００１】
【発明の属する技術分野】
この発明は、極低温冷凍機などに用いられる圧縮機に関する。
【０００２】
【従来の技術】
この種の圧縮機については、特許第２５２２４２４号公報、特開平５−２８８４１９号公報、特開平８−１１０１１０号公報などに記載されている。図９は上記特開平８−１１０１１０号に係る圧縮機を改めて示す一部分を断面にした側面図、図１０はその可動部を取り出して示す縦断面図である。図９及び図１０において、円筒空間を有するシリンダ１に隙間２を介してピストン３が挿入され、シリンダヘッド４で閉塞されたシリンダ１の円筒空間内に作動ガスの圧縮空間５が形成されている。ピストン３にはピストン軸６が同軸に固着され、ピストン３はピストン軸６に軸方向に間隔を介して取り付けられた板ばねからなる２個の支持ばね７及び８により、軸方向に往復運動自在に支持されている。
【０００３】
ピストン３はリニア駆動部９により軸方向に往復駆動されるが、リニア駆動部９は、ピストン軸６に固着されたコイルボビン１０に巻かれた駆動子コイル１１と、駆動子コイル１１を納める空隙１２を有する磁気回路とからなり、磁気回路は環状の永久磁石１３と、その両側のつば付き円筒状の継鉄１４及び環状の継鉄１５とにより形成されている。継鉄１４には円筒状のフレーム１６が連結され、更にフレーム１６には底付き２段円筒状のフレーム１７が連結されている。しかして、シリンダヘッド４、シリンダ１、継鉄１４及びフレーム１６，１７は全体としてガス室３４を形成する一つの圧力容器を構成し、ガス室３４は隙間２を介して圧縮空間５に通じている。
【０００４】
ここで、図９の圧縮機の主要部の組立順序を説明すると、次の通りである。すなわち、永久磁石１３に継鉄１４及び１５を接着剤で接着して一体化したものに、フレーム１６を嵌合部を介して組み合わせ、図示しないねじで締結する。次に、その継鉄１４に図９の上方から支持ばね７を嵌合部を介して組み合わせ、図示しないねじで締結する。次に、支持ばね７の中心穴にピストン３と一体のピストン軸６を上方から差し込み、更にこのピストン軸６に、図１０に示すように間隔管１８、コイルボビン１０、ワッシャ１９、スリーブ２０及び支持ばね８を下方から順次嵌め込み、その際に同時に支持ばね８を嵌合部を介してフレーム１６に組み合わせ、図示しないねじで締結する。
【０００５】
また、ピストン軸６上では支持ばね７、間隔管１８、コイルボビン１０、ワッシャ１９、スリーブ２０及び支持ばね８をワッシャ２１を介してナット２２により、ピストン３との間で締め付ける。その後、フレーム１７を嵌合部を介してフレーム１６に組み合わせ、隅肉溶接により固着する。なお、２３ａ及び２３ｂはピストン３の軸方向変位を検出する変位センサのそれぞれ可動部及び固定部で、可動部２３ａはナット２２の締め付け後にピストン軸６に取り付ける。上述したように一体組立したピストン３、支持ばね７，８、継鉄１４，１５、フレーム１６，１７等からなるユニットは、別に組立架台に支持させたシリンダ１に挿入し、ピストン３を慎重に心合わせした上で、継鉄１４をシリンダ１にねじ２４により締結する。
【０００６】
このような圧縮機において、永久磁石１３から発生した磁束は、Ｎ極面から継鉄１５、空隙１２、継鉄１４を経てＳ極面に戻る。そこで、駆動子コイル１１に周期的に電流を流すと、この電流と空隙１２内の磁界との間に生じる電磁力によりピストン３が軸方向に往復運動し、圧縮空間５内の作動ガスを圧縮する。この圧縮ガスの圧力波はシリンダヘッド４のガス流路２５を通して図示しない極低温冷凍機などに加えられる。
【０００７】
【発明が解決しようとする課題】
上記した従来の圧縮機には、次のような問題があった。
（１）ピストン３にはピストン軸６が固着され、このピストン軸６の半径方向外側にリニア駆動部９が配置されるとともに、リニア駆動部９の軸方向両側に支持ばね７及び８がそれぞれ配置されている。そのため、ピストン３、リニア駆動部９及び複数の支持ばね７,８が軸方向に直列的に配置され、結果として可動部が長くなって圧縮機の長手寸法が大きくなる。
（２）支持ばね７，８の間には、支持ばね７と継鉄１４との間、継鉄１４とフレーム１６との間及びフレーム１６と支持ばね８との間にそれぞれ嵌合部があるため、各嵌合部における部品誤差及び組立誤差の集積により、支持ばね７と支持ばね８との間に芯ずれが生じやすい。この芯ずれがあると、ピストン３の軸線がシリンダ１に対して傾き、両者が接触して磨耗が生じる。
（３）リニア駆動部９の軸方向の一方側（図９の上側）から支持ばね７やピストン３を挿入し、その反対側（図９の下側）から間隔管１８、コイルボビン１０、支持ばね８などを挿入して組み立てるため、リニア駆動部９に対して一方向組立ができず組立作業性が悪い。
【０００８】
そこで、この発明の課題は、これらの問題に対処し、圧縮機の小形化、高精度化及び組立性の向上を図ることにある。
【０００９】
【課題を解決するための手段】
この発明は、円筒空間を有するシリンダと、このシリンダにクリアランスシールを形成する隙間を介して挿入され、前記円筒空間内に作動ガスの圧縮空間を形成するピストンと、このピストンを軸方向に往復運動自在に支持する板ばねからなる支持ばねと、前記ピストンを軸方向に往復駆動するリニア駆動部と、前記隙間を介して前記圧縮空間に通じるガス室を形成する圧力容器とを備え、前記リニア駆動部は前記ピストンに連結された駆動子コイルと、この駆動子コイルを納める空隙を有する永久磁石及び継鉄からなる磁気回路とにより形成される圧縮機において、複数の前記支持ばねを反圧縮空間側端部に間隔を介して配置し、かつ該複数の支持ばねの表裏の向きを互いに逆にして設置し、この複数の支持ばねにより前記ピストンを片持ち支持させるとともに、前記ピストンの圧縮空間側端部の半径方向外側に前記リニア駆動部を配置ものとする（請求項１）。
【００１０】
この請求項1によれば、ピストンの一端を複数の支持ばねにより片持ち支持させ、他端の半径方向外側にリニア駆動部を配置することにより、可動部がピストンの長さの範囲内に略収まり、圧縮機の長手寸法の縮小が可能になる。また、複数の支持ばねは、リニア駆動部の片側にまとめて配置されるため、圧縮機本体の支持ばね嵌合面を各支持ばねに対して共通にすることが容易で、それにより支持ばね相互間の芯出し精度が高くなり、また複数の支持ばねをリニア駆動部に対して一方向から組み付けることが可能になる。また、前記支持ばねは表裏によるばね特性の相違を完全に解消することが困難であるが、複数の前記支持ばねの表裏の向きを互いに逆にすることにより、それらの相違を相殺し、往復運動時の前記ピストンの先振れと、前記支持ばねの捩れによる前記ピストンの回転とを抑えることができる。
【００１１】
その場合、前記リニア駆動部の駆動子コイル、永久磁石及び継鉄を前記ピストンの半径方向に配列するのがよく、これにより前記リニア駆動部自体の軸方向寸法が短縮される（請求項２）。
【００１２】
前記シリンダと前記永久磁石の一方側の継鉄とは一体構成するのがよく、これにより前記シリンダと継鉄との間の組立誤差がなくなるとともに部品点数が減る（請求項３）。
【００１３】
また、前記永久磁石の他方側の継鉄と前記圧力容器の本体とは一体構成し、この本体に前記支持ばねを支持させるのがよく、これにより前記圧力容器本体と継鉄との間の組立誤差がなくなるとともに部品点数が減る。また、前記ピストンに対して前記コイルボビン及び支持ばねを軸方向の同一側から挿入し、また前記シリンダに対して前記ピストンをそれと同一側から挿入して組み立てるという一方向組立が可能になる（請求項４）。
【００１４】
前記支持ばねの間隔は、可動部（前記ピストン、コイルボビン、駆動子コイルなど）の重量、前記支持ばねの剛性及び前記ピストンとシリンダとの間の隙間から構造解析により適正値が求められるが、この適正間隔を維持するために、この間隔を規制する間隔片を支持ばね間に設けるのがよい（請求項５）。
【００１５】
前記シリンダの内周面及び前記ピストンの外周面の一方又は双方に前記隙間に相応する厚さの潤滑性の固体皮膜を剥離可能に施し、前記内周面と外周面とのはめあいにより前記ピストンを前記シリンダに挿入するようにするとよい（請求項７）。前記ピストンをはめあいにより前記シリンダに挿入することにより、前記ピストンとシリンダとの心合わせを正確に行うことができる（請求項６）。
【００１６】
圧縮機は、一対の前記ピストンをそれらに共通の前記圧縮空間を挟んで対向配置した構成とすることができ、これにより前記ピストンの往復運動による振動を互いに相殺させ、圧縮機全体の振動を抑制することができる（請求項７）。
【００１７】
ところで、上記圧縮機において、ピストン側の駆動子コイルへは、圧力容器側に固定された外部接続端子からリード線を介して給電される。ピストンは圧力容器に対して軸方向に往復運動するので、駆動子コイル給電用リード線はピストンの軸方向に対して可動的に構成され、その一端は前記ピストン側に保持され、他端は圧力容器側に保持される。この発明においては、この駆動子コイル給電用リード線は間隔を介して配置された前記支持ばねの間に配置するものとする（請求項９）。これにより、支持ばねの配置スペースを利用して駆動子コイル給電用リード線を配置し、このリード線を支持ばねの軸方向外側に配置する場合に比して、圧縮機の長手方向寸法の縮小を図ることができる。
【００１８】
請求項８において、前記ピストン側及び圧力容器側に、前記駆動子コイル給電用リード線と前記駆動子コイル及び外部接続端子との間をそれぞれ中継する中間端子を前記支持ばねを貫通させてそれぞれ設けるとよい（請求項９）これにより、駆動子コイル給電用リード線と駆動子コイル及び外部接続端子との間をそれぞれ接続する電線を支持ばねの穴を潜らせて配線しなくても済むので、配線作業が簡単になる。更に、駆動子コイル給電用リード線と中間端子とを一体的に結合すれば、駆動子コイル給電用リード線と中間端子との間を接続する電線が不要になり、配線作業が一層簡単になる（請求項１０）。
【００１９】
【発明の実施の形態】
以下、図１〜図３に基づいて、請求項１〜請求項８に係るこの発明の実施の形態を説明する。ここで、図１は圧縮機の縦断面図、図２は図１の要部の分解斜視図、図３は図１におけるピストン部の縦断面図である。なお、従来例と対応する部分には同一の符号を用いるものとする。図１〜図３において、図示圧縮機は、円筒状のシリンダ１と、その外側の円筒状の圧力容器本体２６と、それらの間を結合する環状のリブ２７とからなる２重円筒体としての本体ブロック２８が設けられている。本体ブロック２８は、例えば構造用鋼などの磁性材から、削り出しにより一体に構成されている。シリンダ１の中心の円筒空間には、例えば10〜15μｍの隙間２を介して一対のピストン３が対向して挿入され、その先端間に作動ガスの圧縮空間５が形成されている。ピストン３は、非磁性材、例えばステンレスのパイプの一端に円板が溶接されて中空体として形成されている。
【００２０】
ピストン３は、圧縮空間５と反対側の端部で、間隔を介して配置された複数、今の場合、２個の支持ばね７，８により、圧力容器本体２６の両端に片持ち支持されている。各支持ばね7，８は、ベリリウム銅板などからなる円形の板ばね２９が２枚、間隔を介して平行配置された公知のもので、板ばね２９には複数条の渦巻状のスリットが切り込まれ、軸方向に変形しやすくなっている。図３において、板ばね２９は、中心部及び周縁部において、黄銅からなる同心のボス３０及びリム３１により把持されている。ボス３０は、つば付きのブッシュ３０ａとリング板３０ｂ及び３０ｃとからなり、２枚の板ばね２９は中心の丸穴を介してリング板３０ｂ及び３０ｃと交互にブッシュ３０ａに嵌め込まれ、それらを貫通する図示しないピンのかしめ加工により、互いに一体的に結合されている。
【００２１】
また、リム３１は３個のリング板３１ａ，３１ｂ及び３１ｃからなり、これらは２枚の板ばね２９と交互に重ねられ、溶接により互いに一体的に結合されている。ボス３０の内周面とリム３１の外周面は、研磨により精密に同軸加工されていて、ボス３０がピストン３に緊密に嵌合した支持ばね７，８は、リム３１が圧力容器本体２６の共通の嵌合面に緊密に嵌合する。これにより、支持ばね７，８は、相互の芯出しがきわめて正確に行なわれる。一方、圧力容器本体２６の内周面とシリンダ１の内周面も研磨により精密に同軸加工されている。従って、支持ばね７，８を介して圧力容器本体２６に支持されたピストン３とシリンダ１とは、上記嵌合によりきわめて正確に芯出しが行われる。支持ばね７と支持ばね８との間には、リング状の間隔片３２及び３６が介挿され、支持ばね７，８の間隔を規定している。
【００２２】
圧力容器本体２６の内周面には、ピストン３の圧縮空間側端部の半径方向外側に位置して、半径方向に着磁された円筒状の永久磁石１３が嵌合され、接着剤により固着されている。そして、永久磁石１３の内周面とシリンダ１の外周面との間の空隙１２には、駆動子コイル１１が隙間を介して納められている。駆動子コイル１１は樹脂成形品あるいはステンレスからなるボビン１０に巻かれ、ボビン１０はピストン３に嵌め込まれて支持されている。圧力容器本体２６の両端は、例えばステンレスからなる浅い底付き円筒状の端板３３で閉塞されて圧力容器が構成され、シリンダ１の背後にガス室３４が形成されている。隙間２を介して圧縮空間５に通じるガス室３４内には、ヘリウムガスなどの作動ガスが充填されている。端板３３は嵌合部を介して圧力容器本体２６に嵌合し、端面で支持ばね８のリム３１を押えている。端板３３は、溶接により圧力容器本体２６に固着されている。
【００２３】
上記した圧縮機の組立順序は下記の通りである。まず、図３に示すピストン部を部分組立してユニット化する。すなわち、駆動子コイル１１を巻線したコイルボビン１０をピストン３に、その外周面の段差に突き当たるまで挿入し、次に支持ばね７、間隔片３２及び支持ばね８を順次挿入し、６角ナット３５をピストン端末のねじ溝に螺合させて締め付ける。その際、支持ばね７と８とは、板ばね２９のプレスによる打ち抜き方向によって生じる表裏の向きが互いに逆になるように装着する。これにより、支持ばね７，８固有の表裏による特性の相違が互いに相殺され、ピストン３の往復運動の直線性が向上してピストン３の先端の触れが少なくなり、シリンダ内周面との接触によるピストン磨耗が抑えられる。また、支持ばね７，８の捩れによるピストン３の回転も抑えられる。このピストン部は、永久磁石１３をすでに固着した本体ブロック２８に挿入し、最後に端板３３を嵌め込んで溶接固着する。
【００２４】
上記ピストン部の本体ブロック２８への挿入に先立ち、予め隙間２に相当する膜厚を有するＰＴＦＥのような固体潤滑剤あるいはＤＬＣのような潤滑性を有するセラミックコートの被膜をピストン又はシリンダ１の表面に付与しておき、シリンダ１とピストン３とのはめあいによりピストン３をシリンダ１に挿入するようにすれば、ピストン３の心出し精度を一層高めることができる。上記被膜は圧縮機の運転初期に磨耗し、必要な隙間２が精密に確保される。
【００２５】
この圧縮機の動作は、従来のものと本質的に同じである。すなわち、図１の上下の各永久磁石１３のＮ極から出た磁束は、圧力容器本体２６、リブ２７及びシリンダ１を通り、空隙１２を経てＳ極に戻る。そこで、各駆動子コイル１１に互いに１８０度の位相差を持つ交流励磁電流を通流させると、空隙１２において磁界と励磁電流との間に働く電磁力により、各ピストン３は軸方向に互いに逆向きに往復運動をし、圧縮空間５の作動ガスを圧縮する。この作動ガスの波動は、本体ブロック２８に半径方向にあけられたガス流路２５を介して外部の極低温冷凍機などに与えられる。
【００２６】
このような図１の圧縮機において、ピストン３は反圧縮空間側の端部に間隔を介して配置された複数の支持ばね７，８により片持ち支持され、ピストン３の圧縮空間側端部の半径方向外側に、リニア駆動部９、つまり永久磁石１３、駆動子コイル１１及び継鉄の機能を果たす圧力容器本体２６、リブ２７及びシリンダ１が配置されている。これは、ピストン３の一端を複数の支持ばね７,８により片持ち支持させ、他端の半径方向外側にリニア駆動部９を配置したもので、支持ばね７，８とリニア駆動部９とがピストン３と並列的に配置されたことになり、図１から分る通り、可動部がピストン３の長さの範囲内に略収まる。その結果、ピストン３、支持ばね７，８及びリニア駆動部９が軸方向に直列的に配置された従来構成に比べて可動部の長さが短くなり、結果として圧縮機の長手寸法が縮小されている。特に、図示圧縮機は、リニア駆動部９の駆動子コイル１１、永久磁石１３及び継鉄２６，２７，１がピストン３の半径方向に重なるように配列されているので、永久磁石１３と継鉄１４，１５とがピストン３の軸方向に配列された図９の従来構成に比べて、リニア駆動部自体の軸方向寸法が短縮され、従って圧縮機の長手寸法も一層短縮されている。なお、図示実施の形態では支持ばねが２個の例を示したが、ピストン３を片持ち支持させる支持ばねの数は３個、あるいはそれ以上とすることも可能である。
【００２７】
次に、図１において、シリンダ１は磁性材により形成され、継鉄の機能を果たしている。そのため、継鉄１４がシリンダ１と別体に形成され、ねじ２４で締結された図９の従来構成における心ずれ、つまり継鉄１４とシリンダ１との心ずれ、ひいては継鉄１４を介して支持ばね７に支持されたピストン３とシリンダ１との間の心ずれが生じず、かつ部品点数も少なくなる。
【００２８】
また、図１において、磁性材からなる圧力容器本体２６は継鉄の機能を果たすとともに、支持ばね７及び８は圧力容器本体２６嵌合面に共通に嵌合している。そのため、フレーム１６が別体の継鉄１４にねじで締結された図９の従来構成における芯ずれ、つまり継鉄１４とフレーム１６との芯ずれ、ひいては継鉄１４に支持された支持ばね７とフレーム１６に支持された支持ばね８との間の芯ずれが生じず、従ってピストン３のシリンダ１に対する傾きが生じない。また、部品点数も少なくなる。
【００２９】
特に、図示実施の形態においては、シリンダ１と圧力容器本体２６とがリブ２７を介して一体構成され、全体として磁気回路の継鉄の作用をしている。これにより、シリンダ１や圧力容器本体２６が一部品に集約されるとともに、シリンダ１の円筒空間と支持ばね７，８の支持面（圧力容器本体２６の両端内周面）とが同軸加工（研磨）が可能であるため、その間の軸心精度はきわめて高いものになる。一方、すでに述べたように、支持ばね７，８におけるボス３０とリム３１の内外周面も精密に同心研磨されるため、ボス３０に嵌合するピストンと支持ばね７，８との軸心精度も高く、結果としてシリンダ１とピストン３との心ずれはきわめて小さいものになる。
【００３０】
一方、図示圧縮機の組立作業において、図３に示すピストン部の部分組立においては、ピストン３に一方側（図３の上方側）からコイルボビン１０、支持ばね７，間隔片３２，支持ばね８を挿入した後、ナット３５を締め付け、次にこのピストン部を本体ブロック２８に挿入して、端板３３を装着・溶接する。この組立作業は常に一方向への部品の組み付けであるため作業性が良好であり、またねじ締め作業が少ないので組立工数が少なくて済む。ここで、間隔片３２は支持ばね７，８の間隔を規制するものであるが、この間隔で片持ち支持させたピストン３の先端の振れを許容値以下に抑え、シリンダ１との接触による磨耗を防ぐためには、ピストン３を含む可動部重量と支持ばね７，８の剛性とから支持ばね７，８の間隔を構造解析などにより適正に定める必要があり、間隔片３２はこの定められた間隔を維持する役目をする。
【００３１】
図示実施の形態では、一対のピストン３をそれらに共通の圧縮空間５を挟んで対向配置した複動式の圧縮機を示した。このような圧縮機はピストン３の往復運動による振動が互いに相殺され、圧縮機全体の振動が抑制されるという利点があるが、この発明に係る圧縮機は必ずしも複動式である必要はない。例えば図１において、本体ブロック２８を上下半分にし、その端面に図９の従来構成におけるようなシリンダヘッドを装着して、ピストン３が単一の単動式として構成することも可能である。
【００３２】
次に、図４及び図５は、請求項９に係る実施の形態を示し、図９は圧縮機の縦断面図、図５は図４における駆動子コイルリード線の正面図である。図４の圧縮機の構成は図１のものと実質的に同一なので、その全体についての説明は省略する。図４において、駆動子コイル１１には、圧力容器側（端板３３）に固定された外部接続端子４０から、電線４１、駆動子コイル給電用リード線（以下、単にリード線という。）４２、電線４３を経て駆動子コイル１１に給電される。ここで、リード線４２は、図１０に示すように向かい合わせに組み合わされた一対のＵ字状の導体４４からなり、導体４４は導電性の薄板、例えばベリリウム銅の薄板からプレスにより打ち抜かれて製作されている。
【００３３】
導体４４の一端はピストン側の保持板４５に絶縁体４６を介してねじ接続され、他端は圧力容器側の保持板４７に、やはり絶縁体４４を介してねじ接続されている。保持板４５及び４７はいずれも鋼鈑からなり、保持板４５はピストン３の外周面に嵌合する環状体の外側に、導体４４の一端が接続される一対の接続片が一体に突出形成されている。また、保持板４７は、端板３３の内周面と嵌合する環状体の内側に、導体４４の他端が接続される一対の接続片が一体に突出形成されている。図５に示すように一体接続された導体４４と保持板４５,４７とは、ピストン部の組み立て時に、コイルボビン１０、支持ばね７、一方の間隔片３２ａ,３６ａに続いてピストン３に挿入される。その際、一端が予め駆動子コイル１１に接続された電線４３の他端が、支持ばね７のボスの穴４８を通してリード線４２の一端に接続される。次いで、もう一方の間隔片３２ｂ、３６ｂ、支持ばね８などが挿入され、最後にナット３５が締め付けられる。その際、一端が導体４４に接続された電線４３の他端が支持ばね８のリムの穴４９を通して引き出される。この電線４３の他端は、ピストン部が本体ブロック２８に挿入された後、端板３３が装着される際に外部接続端子９に接続される。
【００３４】
図４において、リード線４２は支持ばね７,８相互間に配置されるため、支持ばね７,８の配置スペースがリード線４２の配置スペースに共用され、例えば支持ばね８の外側にリード線４２が配置される場合のリード線４２の専用スペースが不要であり、それだけ圧縮機の長手寸法が縮小される。
【００３５】
図６は、請求項１０に係る実施の形態を示す圧縮機の要部縦断面図である。図６において、図４と相違するのは、ピストン側及び圧力容器側に、中間端子５０及び５１がそれぞれ設けられている点である。中間端子５０,５１はいずれも絶縁被覆された銅棒からなり、Ｌ形に折り曲げ形成されている。これら中継端子５０,５１は、図６に示すように、図４における電線４１,４３が通るべき支持ばね７,８の穴４８,４９に圧入され、その両端が支持ばね７,８の前後に突出している。中間端子５０,５１はリード線４２と駆動子コイル１１及び外部接続端子４０との間をそれぞれ中継するもので、中間端子５０の両端と駆動子コイル１１及びリード線４２との間は電線４３ａ及び４３ｂでそれぞれ結ばれ、中間端子５１の両端と外部接続端子４０及びリード線４２との間は、電線４１ａ及び４１ｂでそれぞれ結ばれる。この実施の形態によれば、電線４２,４３を支持ばね７,８の穴４８,４９を潜らせて引き回す必要がないため配線作業が容易になる。なお、図６では外部接続端子４０は２極構造のものが１個設けられているが、図９におけるように単極構造のものを一対設けても同じである。
【００３６】
図７及び図８は請求項１１に係る実施の形態を示すもので、図７は圧縮機の要部縦断面図、図８はリード線４２の正面図である。図７及び図８において、図６と相違するのは、中間端子５０,５１とリード線４２とが一体的に結合されている点である。この場合、中間端子５０,５１は方形の板材からなる板端子５０ａ,５１ａと、これに直交するようにかしめ加工などにより結合された棒端子５０ｂ，５１ｂとからなり、板端子５０ａ,５１ａにリード線４１の両端がスポット溶接により結合された後、中間端子５０,５１全体に樹脂のインサート成形により絶縁被覆５２が施されている。この中間端子５０,５１は板端子５０ａ,５１ａが保持板４５,４７に図示しないねじにより固定され、棒端子５０ｂ，５１ｂが支持ばね７,８の穴４８,４９に圧入されている。この実施の形態によれば、電線４１,４３による接続は中間端子５０と駆動子コイル１１との間及び中間端子５１と外部接続端子４０との間だけとなり、配線作業が一層簡略になる。
【００３７】
【発明の効果】
以上の通り、この発明によれば、ピストンは一端で複数の支持ばねにより片持ち支持されるとともに、リニア駆動部はピストンの他端の半径方向外側に配置されるため可動部の長手寸法が短縮され、圧縮機の小形化が図れる。また、磁気回路の継鉄とシリンダや圧力容器本体とが一体構成されるため、部品点数が減るとともに、部品誤差や組立誤差が少なくなり、ピストンとシリンダとの間の軸芯精度が向上してクリアランスシールが適正に保たれる。更に、部品の一方向挿入による組立が可能になり、組立作業性が改善されるとともに、部品点数が少ないこととあいまって組立工数が低減する。一方、駆動子コイル給電用リード線を支持ばねの間に配置することにより、支持ばねと駆動子コイル給電用リード線の配置スペースを共用し、圧縮機の長手寸法を一層短縮することができる。
【図面の簡単な説明】
【図１】  この発明の実施の形態を示す圧縮機の縦断面図である。
【図２】  図１における要部の分解斜視図である。
【図３】  図１のピストン部の縦断面図である。
【図４】  この発明の実施の形態を示す圧縮機の縦断面図である。
【図５】  図４における駆動子コイル給電用リード線の正面図である。
【図６】  この発明の実施の形態を示す圧縮機の要部縦断面図である。
【図７】  この発明の実施の形態を示す圧縮機の要部縦断面図である。
【図８】  図７における駆動子コイル給電用リード線の正面図である。
【図９】  従来例を示す圧縮機の縦断面図である。
【図１０】  図９におけるピストン部の縦断面図である。
【符号の説明】
１    シリンダ
２    隙間
３    ピストン
５    圧縮空間
７    支持ばね
８    支持ばね
９    リニア駆動部
１０    コイルボビン
１１    駆動子コイル
１２    空隙
１３    永久磁石
１８    間隔片
２５    ガス流路
２６    圧力容器本体
２８    本体ブロック
２９    板ばね
３２    間隔片
３６    間隔片
４０    外部接続端子
４１    電線
４２    駆動子コイル給電用リード線
４３    電線
４４    導体
４５    保持板
４７    保持板
５０    中間端子
５１    中間端子
【図１】
0004345250.tif 000002
【図２】
0004345250.tif 000003
【図３】
0004345250.tif 000004
【図４】
0004345250.tif 000005
【図５】
0004345250.tif 000006
【図６】
0004345250.tif 000007
【図７】
0004345250.tif 000008
【図８】
0004345250.tif 000009
【図９】
0004345250.tif 000010
【図１０】
0004345250.tif 000011